(57)【要約】【課題】ビルの屋上全域を簡易に緑化することが可能な緑化パネルを提供する。【解決手段】緑化パネル１が耐食性を有する亜鉛メッキ鋼板より構成されるトレイ２と、該トレイ２に充填され、通気性及び通水性を有する軽量土壌３と、トレイ２と支持脚４によりトレイ上に支持され、亜鉛メッキされた鋼材よりなるベアリングバー５ａとツイストバー５ｂより構成されるグレーチング５と、トレイの両サイドに配設され、トレイ内の土壌へ灌水を行う灌水チューブ６より構成され、ビルの屋上に敷き詰めて設置される。【選択図】図３
2008142044.tif 000002
【特許請求の範囲】
【請求項１】
耐食性を有する金属又は樹脂製のトレイと、該トレイに充填される土壌に植栽される緑化植物と、上記トレイ上に取付けられるか、又は支持され、前記土壌を覆うグレーチングとよりなり、水平面或いは垂直面に隙間なく、或いは適宜の間隔を存して取付けられることを特徴とする緑化パネル。
【請求項２】
上記トレイに灌水装置が設けられることを特徴とする請求項１記載の緑化パネル。
【発明の詳細な説明】
【技術分野】
【０００１】
本発明は、例えばビル等の屋上や壁面、擁壁、高速道路の遮音壁、駐車場等の水平面や垂直面を緑化するのに用いる緑化パネルに関する。なお、本明細書でいう水平面や垂直面は、斜面を含むものである。
【背景技術】
【０００２】
近年、地球温暖化やヒートアイランド現象等の環境問題を背景に、美しく潤いのある都市空間の形成等の観点から、オフィスビルや学校等では屋上緑化が盛んに実施され、壁面緑化も行われている。
【０００３】
上述の屋上緑化は、ビル等の屋上に人工土壌を設置し、これに樹木を植栽することにより行われることが多く、壁面緑化はつる性植物を壁面に這わせたり、壁面に植栽ポットを取付けて行うのが一般的ではあるが、前者の屋上緑化の場合、通常は屋上の一画に囲いを作って植栽するため、屋上面積に対する緑地面積の割合が小さくなる。屋上の全面に草花等の緑化植物を植栽することも行われているが、この場合でも植物の世話や観賞或いは散策のため通路を設置することが必要で、その分緑地面積が減少する。
【０００４】
下記特許文献１には、屋上の全面に緑化植物を植栽し、その上にグレーチングを設置して通路用としたものが開示されている。この文献１にはまた、駐車場の緑化のため、地表面上に立体構造物を格子状に組み、これに土を充填して芝を植栽し、その上に芝保護のためグレーチングを設置したものが開示されている。
【特許文献１】特開２００４−３２４１７４号
【発明の開示】
【発明が解決しようとする課題】
【０００５】
屋上緑化や駐車場緑化を特許文献１記載の方法で行う場合、屋上や駐車場の全域を緑化することが可能であるが、屋上や駐車場に緑化植物を植栽してグレーチングを設置するのには多くの工程が必要で、かなりな手間と時間がかかる。
【０００６】
本発明は、屋上や駐車場等の水平面或いは壁面、擁壁、高速道路の遮音壁などの垂直面の全域を簡易に緑化することが可能な緑化パネルを提供することを目的とする。
【課題を解決するための手段】
【０００７】
請求項１に係る発明は、耐食性を有する金属又は樹脂製のトレイと、該トレイに充填される土壌に植栽される緑化植物と、上記トレイ上に取付けられるか、又は支持され、前記土壌を覆うグレーチングとよりなり、水平面或いは垂直面に隙間なく、或いは適宜の間隔を存して取付けられることを特徴とし、
請求項２に係る発明は、請求項１に係る発明において、トレイに灌水装置が設けられることを特徴とする。
【発明の効果】
【０００８】
請求項１に係る発明の緑化パネルによると、植栽された緑化植物はグレーチングを通して育成し、グレーチングを覆うように繁茂して緑化パネルを水平面や垂直面の全面に設置した場合、全面が緑の水平面や垂直面を形成して美しい景観を構築できるようになること、グレーチングとトレイ或いはグレーチングと支持金具に人や車両の荷重に耐えられるだけの適正な強度を持たせておけば、緑化植物をグレーチングで保護した状態で水平面に設置した緑化パネルのグレーチング上を歩行したり、車両の走行が可能であること、人や車両の走行によってまた、グレーチングより突出する緑化植物は踏み倒され、踏み潰されるが、通路を設定しておけば、人や車両の移動による植物の被害は通路部分のみとなり、被害を最小限に抑えることができ、また植物はグレーチングより突出する部分が傷められたとしても、根元はグレーチングで保護されているため、植物の生育に支障を来たすことがないこと、緑化パネルは、工場で植物を植栽して生育させ、十分に生育した段階で出荷させるようにすれば、施工現場では施工面に単に取付けるだけで施工することができ、施工が終了すれば、緑化が完了し、したがって水平面や垂直面の緑化を短期間で簡便に施工することができること等の効果を有する。
【０００９】
請求項２に係る発明によると、植物の生育が確実に行われ、降雨による灌水が行われにくい垂直面へ取付けるのに好適である。
【発明を実施するための最良の形態】
【００１０】
以下、本発明の実施形態の緑化パネルについて図１により説明する。
全体を符号１で示す緑化パネルは、耐食性を有する亜鉛メッキ鋼板より構成されるトレイ２と、該トレイ２に充填され、通気性及び通水性を有する土壌３、好ましくは軽量土壌と、トレイ２と支持脚４によりトレイ上に支持され、トレイ２と同様、亜鉛メッキされた鋼材よりなるベアリングバー５ａとツイストバー５ｂより構成されるグレーチング５と、前記トレイ２の両サイドの側壁上に配設され、土壌への灌水を行う灌水チューブ６よりなり、土壌３には、図３に示すように播種された植物７が植生される。上記支持脚４は、後述するように、水平面に設置する場合にはトレイ２とグレーチング５に必ずしも固定しておかなくてもよいが、好ましくはトレイ２とグレーチング５に溶接又はボルトにて固定され、トレイ２とグレーチング５が一体化される。一方、垂直面に設置する場合には、固定しておく必要がある。
【００１１】
上記実施形態の緑化パネル１は、トレイ２及びグレーチング５共、亜鉛メッキされた鋼材より構成されるが、耐食性を有し、かつ用途によって例えばビルの屋上に設置されて、その上を歩行者が歩行する場合には、人の荷重に、駐車場に設置されて、車両が駐車する場合は、車両の荷重に耐えられ、またビルの壁面や擁壁、高速道路の遮音壁等垂直面に取付ける場合には、強風に耐えられるだけの強度を有していれば、ステンレス鋼、ＦＲＰその他の材質で構成してもよい。
【００１２】
上記実施形態の緑化パネル１はまた、灌水チューブ６をトレイ２の両サイドの側壁上に配設しているが、トレイ２の内側の土壌３上に配置してもよい。なお、緑化パネル１を水平面や傾斜面に設置する場合には、降雨時の雨水による灌水が可能であり、灌水チューブ６を省くことができる。
上述するトレイ２には、土壌３に浸透した水を排水するために孔をあけておいてもよい。
【００１３】
図３は、ビルの屋上や駐車場等の水平面に上述する緑化パネル１を隙間なく敷き詰めて設置した例を示すものであり、図４は、ビルの壁面或いは擁壁、高速道路の遮音壁等の垂直面に緑化パネル１を取付けた例を示すもので、水平面に設置する場合には、緑化パネル１を水平面上に単に置くだけで、固定しなくてもよい。この場合にはまた、グレーチング５はトレイ２又は支持脚４上に単に置くだけで固定しておかなくてもよい。垂直面に設置する場合には、緑化パネル１を垂直面に何等かの手段により固定する必要がある。そのため図４に示す例では、垂直面にＴ形の型鋼８が緑化パネル１とほぼ同一幅のピッチで突設され、緑化パネル１のグレーチング５が垂直面より突設される型鋼８に溶接にて固定されている。
【００１４】
図５は、緑化パネルの別の例を示すもので、該緑化パネル１１は、トレイ１２と、該トレイ１２に充填される軽量土壌１３と、トレイ１２上に両サイドをトレイ１２よりはみ出して固定され、ベアリングバー１４ａとツイストバー１４ｂよりなるグレーチング１４と、トレイ１２の両サイドに配置され、トレイ１２より若干高く、かつグレーチング１４よりはみ出ないようにグレーチング１４に固定され、角パイプよりなる支持脚１５と、トレイ１２の両サイドの土壌上に配設され、土壌１３への灌水を行う灌水チューブ１６よりなり、土壌１３には植物１７が植生されている。
【００１５】
上述するトレイ１２は、グレーチング１４に例えば直接溶接するか、グレーチング１４に溶接された取付板に溶接またはボルトにて固定される。一方、支持脚１５はトレイ１２及びグレーチング１４に好ましくは固定されるが、緑化パネル１１を水平面に設置する場合には、固定していなくてもよい。固定する場合には、上述するように例えば溶接又はボルトにて固定される。
【００１６】
図６は、ビルの屋上や駐車場等の水平面に上述する緑化パネル１１を隙間なく敷き詰めて設置した例を示すものであり、図７は支持脚１５を有しない緑化パネル１１をビルの壁面或いは擁壁、高速道路の遮音壁等の垂直面に密着して取付けた例を示すもので、水平面に設置する場合には、前述の緑化パネル１と同様、緑化パネル１１を水平面上に単に置くだけで固定しなくてもよいが、垂直面に設置する場合には、垂直面に何等かの手段により固定する必要がある。そのため図７に示す例では、垂直面に緑化パネル１１の横幅及び縦方向の長さと同一ピッチで鋼製のロッド１８が突設され、グレーチング１４と各ロッド１８が適宜の固定手段、例えば図８に示すようにロッド１８端に溶接にて固定される取付板１９と、トレイ１２よりはみ出るグレーチング１４に溶接にて固定される取付板２１と、両取付板１９及び２１を連結するボルト２２及びナット２３とよりなる固定手段により固定されるようになっている。
【００１７】
図９は、緑化パネルの更に別の例を示すもので、該緑化パネル２３は、グレーチング２４に支持脚２５と同じ高さの支持金具２６が例えば溶接又はボルトにて固定され、トレイ２７を支持金具２６に側方より差し込んで取付けられるようになっている。本実施形態の緑化パネル２３は施工現場までトレイ２７を取外して別個に運び、施工現場でトレイ２７を支持金具２６に差し込んで取付けることにより持ち運びする際の個々の構成部材の重量が少なくなって取付けも容易となり、作業性が向上する。
【００１８】
なお、上記各実施形態の緑化パネル１，１１，２３を垂直面に取付けるときには、植物７、１７が十分に生育して土壌３、１３が植物７、１７の張り出した根で保持され、緑化パネル１、１１、２３を縦向きにしても土壌３、１３が崩れ落ちない状態にしたのち行うのが望ましい。これによりグレーチング５、１４、２４を覆って繁茂した植物７、１７は、強風が吹き付けられるようなことがあっても土壌３、１３を保持し、該土壌３、１３の脱落を防止することが可能である。
【図面の簡単な説明】
【００１９】
【図１】本発明に係る緑化パネルの斜視図
【図２】図１のＡ−Ａ線断面図
【図３】緑化パネルを水平面に敷設した例を示す断面図
【図４】緑化パネルを垂直面に設置した例を示す断面図
【図５】緑化パネルの別の例の断面図
【図６】図５に示す緑化パネルを水平面に敷設した例を示す断面図
【図７】図５に示す緑化パネルを垂直面に敷設した例を示す断面図
【図８】緑化パネルを固定する手段を示す図
【図９】緑化パネルの更に別の例の断面図
【符号の説明】
【００２０】
１、１１、２３・・緑化パネル
２、１２、２７・・トレイ
３、１３・・土壌
４、１５、２５・・支持脚
５、１５、２４・・グレーチング
６、１６・・灌水チューブ
７、１７・・植物
８・・型鋼
１８・・ロッド
１９、２１・・取付板
２６・・支持金具
【図１】
2008142044.tif 000003
【図２】
2008142044.tif 000004
【図３】
2008142044.tif 000005
【図４】
2008142044.tif 000006
【図５】
2008142044.tif 000007
【図６】
2008142044.tif 000008
【図７】
2008142044.tif 000009
【図８】
2008142044.tif 000010
【図９】
2008142044.tif 000011